(57)【要約】【課題】  アームのモーメント曲線の経過の改善を達成する。【解決手段】  フレーム（１）内に枢動自在に埋め込まれた調整可能な部分（２、３）を含む家具、例えばベッド用のリニアアクチュエータ装置を記載する。該部分（２、３）は、枢軸（４、６）に取り付けられた少なくとも１つのロッド（２３、２４）によって上下動する。アクチュエータは、枢軸（４、６）を受容するブシュ（１０）付きハウジング（８）、および低電圧ＤＣモータ（１１）によって駆動されるスピンドル（１４）を備える。スピンドル（１４）は、家具内の調整可能な部分を調整するために枢軸（４、６）に取り付けられたアーム（５、７）を作動させる、回転不能に取り付けられたスピンドルナット（１２）を担持する。アーム（５、７）がスピンドルナット（１２）に係合すると、軸から最も離れたナットの端部の領域（１７）にアームが当接載置されるように、アームを設計することによって、大きいモーメントがまさしく必要とされる調整可能な部分の初動時および終動時に発生するので、調整可能な部分を枢動させるための好都合なモーメント曲線が得られる。大きいモーメントが要求される例えばマットレスの折曲げ時に、調整可能な部分の初期水平位置で大きいモーメントとされ、最終位置でもしかりである。アーム（５、７）の端部が当接載置される領域には、スピンドルナットの摩擦および摩耗を低減するローラ（１７）を具備することが好都合である。【選択図】  図４
2009526578.tif 000002
【特許請求の範囲】
【請求項１】
フレーム（１）内に枢動自在に埋め込まれた少なくとも１つの調整可能な部分（２、３）を含み、前記少なくとも１つの部分が、軸（４、６）に取り付けられた少なくとも１つのロッド（２３、２４）によって上下動する、ベッドまたは椅子のような家具に使用するように設計されたリニアアクチュエータ装置であって、枢軸（４、６）を受容するためのブシュ手段（１０）を有するハウジング（８）、および電気モータ（１１）によって駆動されるスピンドル（１４）を備え、前記スピンドル（１４）が回転不能に取り付けられたスピンドルナット（１２）を担持し、１端面を持つ前記ナットが、家具内の前記少なくとも１つの部分（２、３）を調整するために枢軸（４、６）上のアーム（５、７）を前記スピンドルナットの１移動方向に作動させる、リニアアクチュエータ装置において、前記アーム（５、７）が前記スピンドルナット（１２）の前記端面に係合したときに、前記枢軸（４、６）から最も遠くに位置する前記端面の領域（１７）に前記アームが当接載置するように、前記アーム（５、７）を構成することを特徴とするアクチュエータ装置。
【請求項２】
前記アーム（５、７）に係合するように配置かつ設計された少なくとも１つのローラ（１７）が、前記スピンドルナット（１２）に埋め込まれることを特徴とする、請求項１に記載のアクチュエータ装置。
【請求項３】
前記アーム（５、７）が２つの脚を画定する爪の形に設計されること、および前記２つの脚の各々にローラ（１７）が１つずつ設けられることを特徴とする、請求項２に記載のアクチュエータ装置。
【請求項４】
前記ローラ（１７）が、前記スピンドルナット（１２）の前記端面の切欠き（１５）内に配置されることを特徴とする、請求項２または３に記載のアクチュエータ装置。
【請求項５】
前記ローラ（１７）がアクスル（１６）に着座することを特徴とする、請求項２、３、または４に記載のアクチュエータ装置。
【請求項６】
前記アクスル（１６）が、前記スピンドルナット（１２）の前記端面の少なくとも１つの溝（１９）内にスナップロック嵌合状態に保持されることを特徴とする、請求項５に記載のアクチュエータ装置。
【請求項７】
前記アクスル（１６）が切欠きまたは凹部（２０）を用いて横方向に変位しないように取り付けられ、前記アクスルが溝（１９）内に嵌合することを特徴とする、請求項５に記載のアクチュエータ装置。
【発明の詳細な説明】
【技術分野】
【０００１】
本発明は、請求項１の前提部分に記載のリニアアクチュエータ装置に関する。
【背景技術】
【０００２】
この種のリニアアクチュエータ装置は、フレーム内に枢動自在に埋め込まれた少なくとも１つの調整可能な部分を持つベッドおよび椅子に使用される。該部分は枢軸に取り付けられた１つまたは２つのロッドによって上下動する。前記枢軸上でアームは、アクチュエータの一部を形成するスピンドルナットと係合する。アクチュエータは、ジョイントハウジング内の別個の駆動ユニットが各端に配置される１実施形態の形を取るか、または１つの駆動ユニットしか持たない別の実施形態の形を取る。これらの実施形態のうち最初のものは例えば、DewertのEP0372032から公知であり、第２のものは、同じくDewertのWO2005/112709から公知である。
【特許文献１】EP0372032
【特許文献２】WO2005/112709
【０００３】
一般的に、スピンドルナットは、プラスチック材から四角形の摺動要素として設計かつ成形され、枢軸上のアームがそれらの１端面に当接載置する。通常、アームは金属で作られ、スピンドルナットは、アームが前記スピンドルナットに当接載置する位置で摩耗に大きくさらされる。スピンドルナットは、最小摩擦のみならず低雑音レベルの要件、および低製造コストの要求にも従って、プラスチック材から作られる。
【０００４】
また、関係する力の問題がある。アームは１点を中心に枢動し、かくして円弧を描くが、同時にスピンドルナットは直線運動を行なうので、これはスピンドルナットの端におけるアームの係合位置を移動させる。調整可能な部分が上昇するとき、初動中に、アームはスピンドルナットの端で高い位置にあるので、レバーアームは短い。さらに移動する間、モーメントアームの長さは増大し、最後に、該部分がその完全な直立位置に近づくときに減少する。これは、特定のレベルから上昇し、次いで再び減少する、モーメント曲線に似ている。そのようなモーメント曲線の経過は特に好都合ではない。該部分はまた、該部分が水平位置にあるときに、モーメント曲線が最大であり、該部分が上昇するにつれてレバーまたはモーメントアームが減少する円弧をも描く。したがって最初に大きいモーメントが必要であり、それはアクチュエータのモーメント曲線と合致しない。完全な直立位置に向かって、同様に大きいモーメントが必要になる。それは、ベッドの場合、往々にしてかなり厚いマットレスを特定の角度だけ曲げなければならないという事実のためである。これはかなりの大きさのモーメントを必要とする。アームの係合位置は、スピンドルの偏倚を回避するために正確にスピンドルの長手軸線上に永久に位置することが理想的である。それぞれの部分に最大可能なトルクが加えられるためには、アームをできるだけ長くしなければならない。しかし、これはアクチュエータの取付け位置の最小高さの要件と整合しない。例えばDewertのEP0372032B1およびOkinのDE3842078C2から公知である、スピンドルナットの端部におけるかなり長いアームとは対照的に、例えばOkinのWO2005/110158A1に示されるように、スピンドルに跨設される２つの脚を持ち、スピンドルナットの端面の両側に係合する短いアームを有する構成が最近提示されている。モーメントアームの長さに関する問題は、例えばDewertのDE29607493U1に記載されている。前記文書は、アームおよびスピンドルナットの両方について、特定の実施形態を示唆している。アームは逆Ｖ字状に構成され、１つの脚がスピンドルナットの前部と係合するように設計される。他方の脚は、スピンドルナットの前部の開口内に延入し、前方を向いた開口内で表面と係合するように意図されている。枢動中に、脚の１つはスピンドルナットの前面に当接載置され、所与の角度で解放され、他方の脚は開口内で表面と係合する。これは、モーメントアームの長さをある程度均衡化するのに役立つ。
【特許文献３】EP0372032B1
【特許文献４】DE3842078C2
【特許文献５】WO2005/110158A1
【特許文献６】DE29607493U1
【発明の開示】
【０００５】
本発明の目的は、アームのモーメント曲線の経過の改善を達成することである。
【０００６】
本発明によると、これは、請求項１に記載するアクチュエータ装置の実施形態によって達成される。それは、アームがスピンドルナットと係合したときに、枢軸から最も遠くに位置するスピンドルナットの側に向かう領域に当接載置するようにアームが設計されるので、所与の構成に対して最長可能なモーメントアームが得られるためである。ここで、モーメント曲線は、かなり高いモーメントで始まり、次いで減少し、次いで再び上昇する経過をたどる。すなわち、その間の移動の位置および期間に最大のモーメントを必要とする調整可能な部分の初動時、および移動終了時の両方に最大のモーメントがある。これはスピンドルに対し永久に偏倚力をもたらすが、公知の構成の場合より短い。
【０００７】
スピンドルナットはアームと係合するためのローラまたはホイールを持つように構成することが好都合である。これは第一に低摩擦を生じ、それによってより高い効率を達成することができる。同時に、スピンドルナットの端の摩耗が低減する。ローラは、ナットの残部と比較して耐摩耗性の高い材料で作ることができる。さらに、ローラは自己潤滑性をもたらすように設計することができる。完全を期すために、HanningのDE19752234A1から、枢軸上のアーム自体が転がり軸受を具備する構成が公知であり、それはより困難かつ露出した構成であることを付記しておく。
【発明を実施するための最良の形態】
【０００８】
本発明の実施形態について、以下で、添付の図面を参照しながらより詳細に説明する。
【０００９】
図１から分かるように、例えば病院用のベッドに使用されるようなスラットベッドは、上体部分２および関着脚部分３が埋め込まれた基本フレーム１を備える。短いアーム５を担持する横軸４は、上体部分２を操作するためにフレームに埋め込まれる。上体部分２に各々接続された１つのロッド２３が、枢軸４の各端に取り付けられる。同様に、脚部分３に関して、脚部分３を操作するために短いアーム７を担持する枢軸６が存在する。また、軸６の端に各々取り付けられ、かつ脚部分３に接続された１つのロッド２４が存在する。
【００１０】
上体および脚部分２、３の移動は、図２に示すデュアルアクチュエータ装置によって達成される。このアクチュエータ装置は、端にスライドカバー９を有するハウジング８を備え、前記カバーは、ブシュを形成する横軸開口１０へのアクセスを可能にする。軸開口と機能的に接続するドライブが設けられ、主ハウジング８に対し略直角に取り付けられた低電圧ＤＣモータ１１によって駆動される。モータ１１は、ウォームギア１３を介してスピンドル１４を駆動する。前記スピンドルは、摺動要素として設計されたスピンドルナット１２を担持する。これは、ハウジング８内に回転不能に取り付けられる。スピンドル１４の回転により、摺動要素１２はスピンドルの回転方向に応じて、前または後にそれぞれ移動する。上体部分２の回転軸または枢軸４のアーム５が摺動要素１２の端に係合すると、上体部分はスピンドル１４の回転に従ってそれぞれ上下動が切り替わる。デュアルアクチュエータの他端のドライブは、上体部分２の文脈で前述したのと同様の仕方で、脚部分３を動作させる。
【００１１】
デュアルアクチュエータ装置は、スライドカバー９を外側に引き、枢軸４、６がブシュ形成開口１０およびアーム５、７のそれぞれの部分に完全に着座するまで、アクチュエータを内側に案内することによって、スラットベッドに取り付けられる。カバー９は内側にスライドすることによって再び閉じられ、それによってアクチュエータが枢軸４、６から懸架される。ドライブが起動されると、枢軸が回転し、それにより上体および脚部分はそれぞれ、上で説明した通り、ドライブの回転方向に応じて上昇または下降する。
【００１２】
図面の図３ないし６について、以下で上体部分２のみに関して記載する。回転軸または枢軸４上のアーム５は、スピンドル１４に跨設するための２つの脚を有する、爪状の要素である。プラスチック材で作ることのできるスピンドルナット１２の正面部に、２つの切欠き１５があり、その底に、相互アクスル１６上に着座した２つのブシュ１８に取り付けられたローラ１７が配置される。このアクスル１６はそれに取り付けられたローラ１７と共に、その目的のために設計された溝１９内に、スナップロック嵌合状態に保持される。アクスル１６は、切欠きまたは凹部２０を用いて、横方向に変位しないように取り付けられ、アクスル１６を保持する溝１９の中央部分に嵌合する。ローラ１７は牽引力が加わることはなく、単に圧力が付勢または解除されるだけであるので、この目的にはスナップロック嵌合で充分である。爪状アーム５は、その下端によりローラ１７と係合する。
【００１３】
脚部分３および枢軸６上のアーム７を操作する、アクチュエータの反対側の端は、上述したものと同様に設計されることに留意されたい。
【００１４】
図面の図７には、２つのモーメント曲線が示されており、そのうちの曲線２１は、アームがスピンドルに跨設され、かつスピンドルの両側で摺動要素の端面と係合する、これまで公知のアクチュエータのモーメント曲線を表わす。第２の曲線２２は、本発明に係るアクチュエータのモーメント曲線を反映する。先行技術の構成では、運動の開始時およびその終了時のモーメントが非常に低いが、本発明に係る構成を表わす曲線は、可能な最高のモーメントがまさに必要とされる、運動の開始時およびその終了時に、最高値のモーメントを示す。
【図面の簡単な説明】
【００１５】
【図１】図１は、上体部分および脚部分が上昇した状態のベッド用の（スラット）フレームを示す図である。
【図２】図２は、デュアルアクチュエータの斜視図である。
【図３】図３は、フレームの頭部分を作動させるための図２に示したアクチュエータの左端の縦断面図である。
【図４】図４は、スピンドルナットおよび爪の分解組立斜視図である。
【図５】図５は、正面から見たスピンドルナットの斜視図である。
【図６】図６は、正面から見たスピンドルナットおよび爪の斜視図である。
【図７】図７は、２つのモーメント曲線、すなわちそれぞれ本発明に係るアクチュエータに特徴的な曲線および公知の構成の曲線のグラフである。
【図１】
2009526578.tif 000003
【図２】
2009526578.tif 000004
【図３】
2009526578.tif 000005
【図４】
2009526578.tif 000006
【図５】
2009526578.tif 000007
【図６】
2009526578.tif 000008
【図７】
2009526578.tif 000009
【国際調査報告】
2009526578.tif 000010
2009526578.tif 000011
2009526578.tif 000012